(57)【要約】【課題】  透明な導光板に平面光学素子を設けることで、バックライトの色ムラ、輝度ムラを少なくするようにする。【解決手段】  液晶表示パネルを背面側から照明するバックライト装置において、光源としての点状光源と、この点状光源の上方に透明板とを備え、前記透明板に、前記点状光源から出射される光の進行方向を制御する機能を有する平面光学素子を設けるように構成する。【選択図】  図５
2006309981.tif 000002
【特許請求の範囲】
【請求項１】
液晶表示パネルを背面側から照明するバックライト装置であって、
光源としての点状光源と、
この点状光源の上方に透明板とを備え、
前記透明板に、前記点状光源から出射される光の進行方向を制御する機能を有する平面光学素子を設けたこと
を特徴とするバックライト装置。
【請求項２】
前記透明板に、前記平面光学素子の上方に位置する拡散部を設けたこと
を特徴とする請求項１記載のバックライト装置。
【請求項３】
前記平面光学素子は、回折格子であること
を特徴とする請求項１記載のバックライト装置。
【請求項４】
前記平面光学素子は、回折格子であること
を特徴とする請求項２記載のバックライト装置。
【請求項５】
前記平面光学素子は、フレネルレンズであること
を特徴とする請求項１記載のバックライト装置。
【請求項６】
前記平面光学素子は、フレネルレンズであること
を特徴とする請求項２記載のバックライト装置。
【請求項７】
前記平面光学素子は、偏光素子であること
を特徴とする請求項１記載のバックライト装置。
【請求項８】
前記平面光学素子は、偏光素子であること
を特徴とする請求項２記載のバックライト装置。
【請求項９】
液晶表示パネルと、この液晶表示パネルを背面側から照明するバックライト装置とからなる液晶表示装置であって、
前記バックライト装置は、光源としての点状光源と、
この点状光源の上方に透明板とを備え、
前記透明板に、前記点状光源から出射される光の進行方向を制御する機能を有する平面光学素子を設けたこと
を特徴とする液晶表示装置。
【発明の詳細な説明】
【技術分野】
【０００１】
本発明は、光を液晶表示パネル等に照射して画像を表示するために用いられるバックライト装置及びそのバックライト装置を用いた液晶表示装置に関し、詳しくは、輝度ムラ、色ムラを少なくするバックライト装置及び液晶表示装置に関する。
【背景技術】
【０００２】
現在、液晶表示装置（ＬＣＤ：Liquid Crystal Display）は、カラーフィルタを備えた透過型の液晶表示パネルを背面側からバックライト装置にて照明することでカラー画像を表示させるバックライト方式が主流となっている。バックライト装置の光源としては、蛍光管を使った白色光を発光するＣＣＦＬ（Cold Cathode Fluorescent Lamp）といった蛍光ランプが多く用いられているが、ＣＣＦＬは、蛍光管内に水銀を封入するため、環境への悪影響が考えられ、ＣＣＦＬに代わるバックライト装置の光源として、発光ダイオード（ＬＥＤ：Light Emitting Diode）が有望視されている（例えば特許文献１参照。）。
【０００３】
しかし、発光ダイオードのような点状光源を用いたバックライト装置においては、点状光源の真上に玉状の輝度の高い部分が発生してしまうので、これを防止するために、拡散板と点状光源との間に反射板を設け、点状光源から出射された光を反射板で反射させて、輝度ムラの発生を防止することが知られている（例えば、特許文献２参照）。
【０００４】
また、青色発光ダイオードの開発により、光の三原色である赤色光、緑色光、青色光をそれぞれ発光する発光ダイオードが揃ったことになり、これらの発光ダイオードから出射される赤色光、緑色光、青色光を混色することで、色純度の高い白色光を得ることができるため、これら三色の発光ダイオードを光源としたバックライト装置が知られている。
【０００５】
しかし、三色の発光ダイオードを光源に用いたバックライト装置においては、赤色発光ダイオードの真上には赤の輝度の高い部分が発生し、緑色発光ダイオードの真上には緑の輝度の高い部分が発生し、青色発光ダイオードの真上には青の輝度の高い部分が発生してしまう。そこで、これを防止するために、拡散板と各色の発光ダイオードとの間に透明板を設け、その透明板に吸収材あるいは反射材を塗布することによりドットを形成し、発光ダイオードから出射された光をドット部分で吸収あるいは反射させて、輝度ムラ、色ムラを防止することが知られている（例えば非特許文献１参照。）。
【特許文献１】特開平７−１９１３１１号
【特許文献２】特開２００４−３１１３５３号
【非特許文献１】日経エレクトロニクス（日経ＢＰ社）、２００４年１２月２０日号（第８８９号）第１２３〜１３０頁
【発明の開示】
【発明が解決しようとする課題】
【０００６】
しかし、バックライト装置やこれを用いた液晶表示装置の薄型化を図る場合には、発光ダイオードと拡散板との距離を狭くする必要があるため、発光ダイオードから出射された光を反射板で反射するようにしても、反射した光が拡散板に入射するまでの間で、光を混色させるための光路長を十分に確保できないため、輝度ムラ、色ムラを防止することができないという問題が生じる。
【０００７】
また、透明板に吸収材でドットを形成した場合は、ドットにより発光ダイオードから出射された光が吸収されてしまうため、適切な画像を表示するのに必要な輝度を確保するための光量が不足してしまうという問題も生じる。
【０００８】
本発明は、上述の点を考慮し、色ムラや輝度ムラを少なくすることができるバックライト装置及び液晶表示装置を提供するものである。
【課題を解決するための手段】
【０００９】
本発明に係るバックライト装置は、液晶表示パネルを背面側から照明するバックライト装置であって、光源としての点状光源と、この点状光源の上方に透明板とを備え、前記透明板に、前記点状光源から出射される光の進行方向を制御する機能を有する平面光学素子を設けた構成とする。
【００１０】
本発明に係る液晶表示装置は、液晶表示パネルと、この液晶表示パネルを背面側から照明するバックライト装置とからなる液晶表示装置であって、前記バックライト装置は、光源としての点状光源と、この点状光源の上方に透明板とを備え、前記透明板に、前記点状光源から出射される光の進行方向を制御する機能を有する平面光学素子を設けた構成とする。
【００１１】
本発明のバックライト装置及び液晶表示装置は、光源から出射された光の進行方向を制御することにより、色ムラ、輝度ムラが生じないようにする。
【発明の効果】
【００１２】
本発明に係るバックライト装置によれば、バックライトの色ムラ、輝度ムラを少なくすることができる。
【００１３】
本発明に係る液晶表示装置によれば、バックライトの色ムラ、輝度ムラを少なくし、表示する画像の質をよくすることができる。
【発明を実施するための最良の形態】
【００１４】
以下、本発明に係るバックライト装置及び液晶表示装置を実施するための最良の形態の例を説明するが、本発明は以下の例に限定されるものではない。
本発明は、例えば、図１に示すような構成の透過型のカラー液晶表示装置１００に適用することができる。この透過型カラー液晶表示装置１００は、透過型のカラー液晶表示パネル１１０と、このカラー液晶表示パネル１１０の背面側に設けられたバックライト装置１４０とからなる。また、図示しないが、この透過型カラー液晶表示装置１００は、地上波や衛星波を受信するアナログチューナー、デジタルチューナーといった受信部、この受信部で受信した映像信号、音声信号をそれぞれ処理する映像信号処理部、音声信号処理部、音声信号処理部で処理された音声信号を出力するスピーカといった音声信号出力部などを備えていてもよい。
【００１５】
透過型のカラー液晶表示パネル１１０は、ガラス等で構成された２枚の透明な基板（ＴＦＴ基板１１１、対向電極基板１１２）を互いに対向配列させ、その間隙に、例えば、ツイステッドネマチック（ＴＮ）液晶を封入した液晶層１１３を設けた構成となっている。ＴＦＴ基板１１１には、マトリックス状に配列された信号線１１４と、走査線１１５と、この信号線１１４、走査線１１５の交点に配列されたスイッチング素子としての薄膜トランジスタ１１６と、画素電極１１７とが形成されている。薄膜トランジスタ１１６は、走査線１１５により、順次選択されると共に、信号線１１４から供給される映像信号を、対応する画素電極１１７に書き込む。一方、対向電極基板１１２の内表面には、対向電極１１８及びカラーフィルタ１１９が形成されている。
【００１６】
カラーフィルタ１１９は、各画素に対応した複数のセグメントに分割されている。例えば、図２に示すように、３原色である赤色フィルタＣＦＲ、緑色フィルタＣＦＧ、青色フィルタＣＦＢの３つのセグメントに分割されている。カラーフィルタ１１９の配列パターンは、図２に示すようなストライプ配列の他に、図示しないが、デルタ配列、正方配列などがある。
【００１７】
再び、図１を用いて、透過型カラー液晶表示装置１００の構成について説明をする。透過型カラー液晶表示装置１００は、このような構成の透過型のカラー液晶表示パネル１１０を２枚の偏光板１３１，１３２で挟み、バックライト装置１４０により背面側から白色光を照射した状態で、アクティブマトリックス方式で駆動することによって、所望のフルカラー映像を表示させることができる。
【００１８】
バックライト装置１４０は、上記カラー液晶表示パネル１１０を背面側から照明する。図１に示すように、バックライト装置１４０は、ここでは図示していない光源や、光源から出射された光を白色光へと混色するためにバックライト筐体部１２０内に、拡散板１４１、拡散板１４１上に重ねて配列される拡散シート１４２、プリズムシート１４３、偏光変換シート１４４といった光学機能シート群１４５などを備えた構成となっている。
【００１９】
拡散板１４１は、バックライト筐体部１２０から出射された光を内部拡散させることで、面発光における輝度の均一化を行う。
一般に、光学機能シート群１４５は、例えば、入射光を直交する偏光成分に分解する機能、光波の位相差を補償して広角視野角化や着色防止を図る機能、入射光を拡散させる機能、輝度向上を図る機能などを備えたシートで構成されており、バックライト装置１４０から面発光された光をカラー液晶表示パネル１１０の照明に最適な光学特性を有する照明光に変換するために設けられている。したがって、光学機能シート群１４５の構成は、上述した拡散シート１４２、プリズムシート１４３、偏光変換シート１４４に限定されるものではなく、様々な光学機能シートを用いることができる。
【００２０】
図３に、バックライト筐体部１２０内の概略構成図を示す。この図３に示すように、バックライト筐体部１２０は、赤色光を発光する赤色発光ダイオード２１Ｒ、緑色光を発光する緑色発光ダイオード２１Ｇ、青色光を発光する青色発光ダイオード２１Ｂが、点状光源として配置されている。例えば、赤色発光ダイオード２１Ｒで発光される赤色光、緑色発光ダイオード２１Ｇで発光される緑色光、青色発光ダイオード２１Ｂで発光される青色光のピーク波長は、それぞれ６４０ｎｍ、５３０ｎｍ、４５０ｎｍ程度とされる。赤色発光ダイオード２１Ｒ、青色発光ダイオード２１Ｂで発光される赤色光、青色光のピーク波長は、それぞれ６４０ｎｍから長波長側へ、４５０ｎｍから短波長側へシフトしてもよい。このようにピーク波長を、長波長側、短波長側へシフトさせると、色域を広げることができるため、カラー液晶表示パネルに表示させる画像の色再現範囲を拡大することができる。
【００２１】
なお、以下の説明において、赤色発光ダイオード２１Ｒ、緑色発光ダイオード２１Ｇ、青色発光ダイオード２１Ｂを総称する場合は、単に発光ダイオード２１と呼ぶ。また、本例では、発光ダイオードチップ等の光源から発せられた光を側面から放射する放射指向性を有している発光ダイオード２１を用いているが、発光ダイオードはこれに限定されることなく、その他の放射指向性を有するものを用いてもよい。
【００２２】
この発光ダイオード２１を、図３に示すように、基板２２上に所望の順番で列状に複数配列させることで、発光素子列としての発光ダイオードユニット２１ｎ（ｎは、自然数。）が形成される。
発光ダイオードユニット２１ｎを形成するために、基板２２上に発光ダイオード２１を配列する順番は、赤色発光ダイオード２１Ｒ、緑色発光ダイオード２１Ｇ、青色発光ダイオード２１Ｂを繰り返し単位とする最も基本的な配列の仕方や、緑色発光ダイオード２１Ｇを等間隔で配列させ、隣り合う緑色発光ダイオード２１Ｇの間に、赤色発光ダイオード２１Ｒ、青色発光ダイオード２１Ｂを交互に配列させるような順番など様々な配列の仕方がある。
【００２３】
バックライト筐体部１２０内への発光ダイオードユニット２１ｎの配列の仕方は、図３に示すように、発光ダイオードユニット２１ｎの長手方向が、水平方向となるように配列してもよいし、発光ダイオードユニット２１ｎの長手方向が垂直方向となるように配列してもよく、発光ダイオードユニットの列が直線上に並んでいなくてもよい。また、配線基板２２を用いずに、発光ダイオード２１を、直接バックライト筐体１２０に取り付けるようにしてもよい。なお、発光ダイオードユニット２１ｎの長手方向を、水平方向に配列する手法は、従来までのバックライト装置の光源として利用していたＣＣＦＬの配列の仕方と同じになるため、蓄積された設計ノウハウを利用することができ、コストの削減や、製造までに要する時間を短縮することができる。
また、バックライト筐体部１２０の内壁面１２０ａは、発光ダイオード２１から発光された光の利用効率を高めるために、反射加工がなされた反射面もしくは拡散反射面となっている。
【００２４】
図４に、透過型カラー液晶表示装置１００を組み上げた際に、図１に示す透過型カラー液晶表示装置１００に付したＸＸ線で切断した際の断面図を一部示す。図４に示すように、液晶表示装置１００を構成するカラー液晶表示パネル１１０は、透過型カラー液晶表示装置１００の外部筐体となる外部フレーム１０１と、内部フレーム１０２とによって、スペーサ１０３ａ，１０３ｂを介して挟み込むように保持される。また、外部フレーム１０１と、内部フレーム１０２との間には、ガイド部材１０４が設けられており、外部フレーム１０１と、内部フレーム１０２によって挟まれたカラー液晶表示パネル１１０が長手方向へずれてしまうことを抑制している。
【００２５】
一方、透過型カラー液晶表示装置１００を構成するバックライト装置１４０は、上述したように光学機能シート群１４５が積層された拡散板１４１と、光源である発光ダイオード２１ｎを覆うように設けられた、各発光ダイオード２１から出射された赤色（Ｒ）光、緑色（Ｇ）光、青色（Ｂ）光を混色させるための透明な樹脂基板で形成された導光板（ダイバータプレート）１２５とを備えている。また、導光板１２５と、バックライト筐体部１２０との間には、反射シート１２６が配されている。導光板１２５は、混色機能を有しており、発光ダイオード２１から出射された光、反射シート１２６で反射された光を拡散させる。
【００２６】
導光板１２５の光入射面１２５ａには、各発光ダイオードから出射された光を制御する平面的な光学素子２３が設けられている。光学素子２３は、例えば導光板１２５に入射した光の屈折角度や進行向きを積極的に制御する機能を有している。
【００２７】
反射シート１２６は、その反射面が、導光板１２５の光入射面１２５ａと対向するように、かつ、発光ダイオード２１の発光方向よりもバックライト筐体部１２０側となるように配されている。反射シート１２６は、例えば、シート基材上に銀反射膜、低屈折率膜、高屈折率膜を順に積層することで形成された銀増反射膜などを用いることができる。また、この反射シート１２６は、主に発光ダイオード２１から発光され、その放射角度分布によって下向きに放射された光や、バックライト筐体部１２０の反射面１２０ａで反射された光などを反射する。
【００２８】
バックライト装置１４０が備える拡散板１４１、導光板１２５、反射シート１２６は、図４に示すように、それぞれが互いに対向するように配列されており、バックライト筐体部１２０に複数設けられた光学スタッド１０５によって、互いの対向間隔を保ちながら、当該バックライト装置１４０のバックライト筐体部１２０内に保持されている。このとき、拡散板１４１の端部は、バックライト筐体部１２０に設けられたブラケット部材１０８で保持される。
【００２９】
図５は、図４に示したカラー液晶表示装置１００に、本発明の第１の実施の形態で用いる平面光学素子のフレネルレンズ２３ａが設けられている付近の拡大図である。
図５に示すように、平面光学素子としてのフレネルレンズ２３ａが、発光ダイオード２１の真上に位置するように、導光板１２５の下面に設けられている。フレネルレンズ２３ａは、ホットプレス法等により、導光板１２５の下面に直接形成されている。
【００３０】
発光ダイオード２１の図示しない発光ダイオードチップから真上方向に出射された光Ｌ１は、フレネルレンズ２３ａに入射する際に所定の方向に第１次屈折する。屈折した光Ｌ２は、導光板１２５の中を、導光板の上面方向に向かって進行する。そして、屈折光Ｌ２は、導光板１２５と拡散板１４１と間に存在する空間部１２７に入射するときに第２次屈折する。屈折した光Ｌ３は、空間１２７の中を拡散板１４１に向かって進行して、拡散板１４１に入射する。
【００３１】
図６は、図５に示したフレネルレンズ２３ａに入射した光Ｌ１が屈折を起こす様子を示した模式図である。
図６に示すように、フレネルレンズ２３ａの表面には、微小な凹凸２４が形成されている。発光ダイオード２１から出射された光Ｌ１は、フレネルレンズの凹凸部２４に入射して第１次の屈折が生じる。この場合、入射した光が屈折する角度は、予めフレネルレンズに設けられた凹凸部２４の角度を調整することによって制御することができる。
【００３２】
第１次屈折光Ｌ２は、平行な間隔を保ちながら導光板１２５の中を進行し、導光板１２５の拡散板１４１側の面で第２次屈折を行う。第２次屈折光Ｌ３は、平行な間隔を保ちながら空間１２７を進行し、拡散板１４１に入射する。図６に示すように、空間１２７を進行する屈折光Ｌ３は、波面に凹凸の無い球面波形Ｌ４を有している。
【００３３】
このように、本例によるバックライト装置１４０によれば、入射する光の屈折角を制御するフレネルレンズ２３ａを導光板１２５に設けたので、発光ダイオード２１から真上方向に出射した光を、拡散板１４１に入射する前に球面波形を有する光に変換することができるので、バックライトにおける輝度ムラ、色ムラをなくすことができる。また、薄型化にともなって起きる輝度ムラ、色ムラと逆位相の波形を上記の球面波形に持たせて足し合わせてやることにより、バックライト装置、液晶表示装置を薄型化した場合でも輝度ムラ、色ムラを防止することができる。
【００３４】
図７は、本発明の第２の実施の形態の例で用いる平面光学素子の回折格子２３ｂが、図４に示したカラー液晶表示装置１００に設けられている場合の拡大図である。
図７に示すように、平面光学素子としての回折格子２３ｂが、発光ダイオード２１の真上に位置するように、導光板１２５の下面に設けられている。また、導光板１２５の上面には、拡散面１２５ｃが設けられている。回折格子２３ｂは、印刷法、インプリント法、フォトマスクを用いたリソグラフィ法、二光束干渉法などにより形成される。また、拡散面１２５ｃは、サンドブラスト法により形成されるが、導光板１２５の上面に拡散シートを貼るようにして形成してもよい。
【００３５】
発光ダイオード２１の図示しない発光ダイオードチップから真上方向に出射された光Ｌ１は、回折格子２３ｂに入射する際に、０次光、１次光、２次光などに回折する。回折した光Ｌ２は、導光板１２５の中を、導光板の上面方向に向かって進行する。そして、回折Ｌ２は、導光板１２５の上面に設けられた拡散面１２５ｃに入射したときに、図７に示す矢印Ｌ３のように細かく拡散される。拡散光Ｌ３は、導光板１２５と拡散板１４１と間に存在する空間部１２７の中を拡散板１４１に向かって進行して、拡散板１４１に入射する。
【００３６】
図８は、図７に示した回折格子２３ｂに入射した光Ｌ１が回折を起こす様子を示した模式図である。
図８に示すように、回折格子２３ｂの表面には、微小な格子部２５が形成されている。発光ダイオード２１から出射された光Ｌ１は、回折格子２３ｂの格子部２５に入射して、０次光、１次光、２次光に回折される。すなわち、導光板１２５の中を進行する回折光Ｌ２は、図８に示すように、凹凸を有する波面を有する光となっている。
【００３７】
凹凸波面を有する回折光Ｌ２は、導光板１２５の上面に設けられた拡散面１２５ｃに入射して拡散される。その結果、拡散光Ｌ３は、図８に示すように、波面に凹凸の無い滑らかな波面を有する光Ｌ４に変換されて、空間１２７を進行し、拡散板１４１に入射する。
【００３８】
このように、本例によるバックライト装置１４０によれば、発光ダイオードから入射する光の回折を制御する回折格子２３ｂを導光板１２５に設け、回折された光を滑らかにする拡散面を設けたので、発光ダイオード２１から真上に出射した光を、拡散板１４１に入射する前に滑らかな波面を有する光に変換することができ、バックライトにおける輝度ムラ、色ムラを少なくすることができる。また、薄型化にともなって起きる輝度ムラ、色ムラと逆位相の波形を上記の滑らかな波形に持たせて足し合わせてやることにより、バックライト装置、液晶表示装置を薄型化した場合でも輝度ムラ、色ムラを防止することができる。
【００３９】
図９は、本発明の第３の実施の形態の例で用いる平面光学素子の位相差板２３ｃが、図４に示したカラー液晶表示装置１００に設けられている場合の拡大図である。
図９に示すように、平面光学素子としての位相差板２３ｃが、発光ダイオード２１の真上に位置するように、導光板１２５の下面に設けられている。位相差板２３ｃは、導光板１２５の一部分に位相差フィルムを貼り付けることにより形成する。
【００４０】
発光ダイオード２１の図示しない発光ダイオードチップから真上方向に出射された光Ｌ１は、位相差板２３ｃを通過する際に、光の位相が位相差板の貼り付け方向によって決まるある方向にそろった光のみ通過し、残りは吸収または反射される。光の位相がそろった光Ｌ２は、導光板１２５と拡散板１４１と間に存在する空間部１２７の中を拡散板１４１に向かって進行する。そして、拡散板１４１に入射した後、光学機能シート１４５群を透過して液晶表示パネル１００に到達する。光学機能シートの中には、位相差板の機能を持つシートもあるので、光学機能シートの位相と位相差板２３ｃの位相とのなす角を調整することによって、光学機能シートを通過する光の通過量を制御することができる。
【００４１】
このように、本例によるバックライト装置１４０によれば、位相差板２３ｃを導光板１２５に設け、光学機能シートとの位相差を利用することにより、発光ダイオード２１から真上方向に出射した光の量を、光学機能シートを通過するときに少なくすることができ、バックライトにおける輝度ムラ、色ムラを少なくすることができる。
【００４２】
このような構成の透過型カラー液晶表示装置１００は、例えば、図１０に示すような駆動回路２００により駆動される。駆動回路２００は、カラー液晶表示パネル１１０や、バックライト装置１４０の駆動電源を供給する電源２１０、カラー液晶表示パネル１１０を駆動するＸドライバ回路２２０及びＹドライバ回路２３０を備えている。さらに駆動回路２００は、外部から供給される映像信号や、当該透過型カラー液晶表示装置１００が備える図示しない受信部で受信され、映像信号処理部で処理された映像信号が、入力端子２４０を介して供給されるＲＧＢプロセス処理部２５０、このＲＧＢプロセス処理部２５０に接続された画像メモリ２６０及び制御部２７０、バックライト装置１４０を駆動制御するバックライト駆動制御部２８０などを備えている。
【００４３】
この駆動回路２００において、入力端子２４０を介して入力された映像信号は、ＲＧＢプロセス処理部２５０により、クロマ処理などの信号処理がなされる、さらに、信号処理された映像信号は、コンポジット信号からカラー液晶表示パネル１１０の駆動に適したＲＧＢセパレート信号に変換されて、制御部２７０に供給されるとともに、画像メモリ２６０を介してＸドライバ２２０に供給される。
【００４４】
また、制御部２７０は、上記ＲＧＢセパレート信号に応じた所定のタイミングで、Ｘドライバ回路２２０及びＹドライバ回路２３０を制御して、上記画像メモリ２６０からの映像信号とともにＸドライバ回路２２０に供給されるＲＧＢセパレート信号で、カラー液晶表示パネル１１０を駆動することにより、上記ＲＧＢセパレート信号に応じた映像を表示する。
【００４５】
バックライト駆動制御部２８０は、電源２１０から供給される電圧から、パルス幅変調（ＰＷＭ）信号を生成し、バックライト装置１４０の光源である各発光ダイオード２１を駆動する。一般に発光ダイオードの色温度は、動作電流に依存するという特性がある。したがって、所望の輝度を得ながら、忠実に色再現させる（色温度を一定とする）には、パルス幅変調信号を使って発光ダイオード２１を駆動し、色の変化を抑える必要がある。
ユーザインターフェース３００は、上述した図示しない受信部で受信するチャンネルを選択したり、同じく図示しない音声出力部で出力させる音声出力量を調整したり、カラー液晶表示パネル１１０を照明するバックライト装置１４０からの白色光の輝度調節、ホワイトバランス調節などを実行するためのインターフェースである。
例えば、ユーザインターフェース３００から、ユーザが輝度調節をした場合には、駆動回路２００の制御部２７０を介してバックライト駆動制御部２８０に輝度制御信号が伝わる。バックライト駆動制御部２８０は、この輝度制御信号に応じて、パルス幅変調信号のデューティ比を、赤色発光ダイオード２１Ｒ、緑色発光ダイオード２１Ｇ、青色発光ダイオード２１Ｂ毎に変えて、赤色発光ダイオード２１Ｒ、緑色発光ダイオード２１Ｇ、青色発光ダイオード２１Ｂを駆動制御することになる。
【図面の簡単な説明】
【００４６】
【図１】図１は、本発明を実施するための形態の一例として示すカラー液晶表示装置の分解斜視構成図である。
【図２】図２は、本発明を実施するための形態の一例として示すカラー液晶表示パネルのカラーフィルタの平面構成図である。
【図３】図３は、本発明を実施するための形態の一例として示すバックライト装置の斜視構成図である。
【図４】図４は、本発明を実施するための形態の一例として示すカラー液晶表示装置の概略断面図である。
【図５】図５は、本発明の第１の実施の形態であるフレネルレンズを適用したカラー液晶表示装置の部分概略断面図である。
【図６】図６は、平面光学素子であるフレネルレンズに入射した光の屈折の様子を示す模式図である。
【図７】図７は、本発明の第２の実施の形態である回折格子を適用したカラー液晶表示装置の部分概略断面図である。
【図８】図８は、図７に示した平面光学素子である回折格子に入射した光の屈折の様子を示す模式図である。
【図９】図９は、本発明の第３の実施の形態である位相差板を適用したカラー液晶表示装置の部分概略断面図である。
【図１０】図１０は、本発明を実施するための形態の一例として示すカラー液晶表示装置を駆動する駆動回路の概略ブロック構成図である。
【符号の説明】
【００４７】
２１・・発光ダイオード、２１ｎ・・発光ダイオードユニット、２３・・光学素子、２３ａ・・フレネルレンズ、２３ｂ・・回折格子、２３ｃ・・位相差板、１００・・液晶表示装置、１１０・・液晶表示パネル、１２０・・バックライト筐体部、１２５・・導光板、１２６・・導光シート、１４０・・バックライト装置、１４１・・拡散板
【図１】
2006309981.tif 000003
【図２】
2006309981.tif 000004
【図３】
2006309981.tif 000005
【図４】
2006309981.tif 000006
【図５】
2006309981.tif 000007
【図６】
2006309981.tif 000008
【図７】
2006309981.tif 000009
【図８】
2006309981.tif 000010
【図９】
2006309981.tif 000011
【図１０】
2006309981.tif 000012